(57)【要約】【課題】障害物の太陽光の日影位置が現地で日照や時間や月日に関係なく、測定したい希望の月日と時間の日影位置が測定出来る日影位置測定装置を提供する。【解決手段】障害物の上端を水平にした反射板に映し、その反射板を太陽の高さ角度に合わせた覗き窓から覗と、反射板の位置が障害の日影位置となるものである。のぞき部３を太陽高さ角度１１で合わせ、のぞき部３から、目視人物像１０のように覗いて、のぞき部の目印３ｂと、反射板２に映った障害物８の最上部分を反射板の目印２ａに一致させると、反射板の入射角と反射角は同じの原理で反射板の目印２ａ位置が太陽光線９の日影位置と一致する。【選択図】図５
2011080827.tif 000002
【特許請求の範囲】
【請求項１】
日影位置測定装置の本体１の表面に反射板２と、方位磁石７と水準器６を設け、反射板２に反射板の目印２ａを設ける。方位磁石の周辺には時間調節の刻印を設ける。反射板の目印２ａの延長位置に、支持部の回転軸３ｃと太陽高さ調節板の回転軸５ｍが回動可能に設ける。支持部３ａには、のぞき部３が接続されている。のぞき部３には、のぞき部の目印３ｂを設ける。太陽高さ調節板５には、月日ごとの太陽の高さ角度と時間角度調節のための刻印を設ける。時間角度調節の刻印は、前記本体１に設けた時間調整固定部４と隣接している、日影位置測定装置である。
【請求項２】
請求項１記載の日影位置測定装置において支持部３ａは、伸縮できる構造の日影位置測定装置である。
【請求項３】
請求項１記載の日影位置測定装置において支持部３ａと、のぞき部３は、自在金具で接続さている構造の日影位置測定装置である。
【発明の詳細な説明】
【技術分野】
【０００１】
本発明は、太陽光の日影位置が現地で日照や月日や時間に関係なく、測定できる日影位置測定装置に関するものである。
【背景技術】
【０００２】
日影位置を測定するには、従来からの方法として、地形や障害物の高さを測量して図面を書き、目的日時の太陽の高さ角度を図面に記入して日影位置を測定したり、模型を作り離れた所から光源で照らして日影位置を測定したり、コンピューターにて、緯度経度等を入力後シュミレーションして日影位置を測定していた。
【０００３】
しかし、従来からの方法は、測量して図面を書くため専門的知識が必要であり、模型を作るのに費用がかかったり、シュミレーションする特殊な器具が必要であったり、結果の表示に時間がかかったりするなどの問題点があった。
【０００４】
関連する出願として、特許文献１にみられるような、日影積分値を計算し、日照積分値に応じた表現で図面に表示する方法。
【０００５】
特許文献２にみられるような、建物、または、都市模型を用いて日影を模造し、光源を離れた場所に設定し、この光源に対して、建物、または、都市模型を設けた台板を回転装置に載せてシュミレーションする方法。
【０００６】
特許文献３にみられるような、建物が建てられる土地の位置情報と顧客情報と、地図情報等でコンピューター処理してシュミレーションする方法。
【先行技術文献】
【特許文献】
【０００７】
【特許文献１】特開２００３−１６７０６５号公報
【特許文献２】特開２０００−６５９５４号公報
【特許文献３】特開２００１−２６５８３３号公報
【発明の概要】
【発明が解決しようとする課題】
【０００８】
解決しようとする課題点は、測量して図面を書くため専門的知識が必要であり、模型を作るのに費用がかかったり、コンピューター処理を行う必要であったり、結果の表示に時間がかかったりするなどの問題点である。
【０００９】
本発明は、上記のような従来技術の問題を解決するために、測量して図面を書くための専門的知識が必要なく、模型を作ったりせず、コンピューター処理を行う必要がなく、結果の表示に時間がかからないなどの利点がある、日影位置測定装置を提供することを目的とするものである。
【課題を解決するための手段】
【００１０】
日影位置測定装置の本体１の表面に反射板２と、方位磁石７と水準器６を設け、反射板２に反射板の目印２ａを設ける。方位磁石の南をさす位置に時間調節の刻印１４時７ａから１０時７ｅを設ける。反射板の目印２ａの延長位置に、支持部の回転軸３ｃと太陽高さ調節板の回転軸５ｍが回動可能に設ける。支持部３ａには、のぞき部３が接続されている。のぞき部３には、のぞき部の目印３ｂを設ける。太陽高さ調節板５には、月日ごとの太陽の高さ角度１２月２２日（３２°冬至）５ａから６月２２（７８°夏至）５ｇと時間角度調節のための刻印１２時５ｈから北海道地方午前１２時５ｌを設ける。時間角度調節の１２時５ｈから北海道地方午前１２時５ｌの刻印は、前記本体１に設けた時間調整固定部４と隣接している、日影位置測定装置である。
【発明の効果】
【００１１】
本発明は、計算したり図示したりする専門知識が必要なく、模型を作ったり、コンピューター処理も必要なく、太陽光の日影位置が日照や月日や時間に関係なく、目的の場所にて日影位置が測定できる利点がある。
【図面の簡単な説明】
【００１２】
【図１】図１は本発明の日影位置測定装置の斜視図である。
【図２】図２は本発明の、のぞき部とその支持部の詳細な説明図である。
【図３】図３は本発明の太陽高さ調節板の詳細な説明図である。
【図４】図４は本発明の方位磁石と時間調節の詳細な説明図である。
【図５】図５は本発明の日影位置測定装置の実施方法を示した説明図である。
【発明を実施するための形態】
【００１３】
以下本発明の実施の形態について図面を参照しながら説明する。
【実施例】
【００１４】
図１は、本発明装置の斜視図であり、日影位置を測定する目的の部品で、日影位置測定装置の本体１から１０時７ｅは、本体を構成する部品である。
【００１５】
反射板２は円形、としたものでもよい。
【００１６】
反射板２は、四角の場合は製作費が安くできるため、多角形としたものでもよい。
【００１７】
図２の、支持部３ａは、固定長、の構造にしたものでもよい。
【００１８】
図２の、支持部３ａは、伸ばすと測定時に精度が上がり、また縮めると小さく格納でき運搬しやすくなるため伸縮できる構造にしたものでもよい。
【００１９】
図２の、支持部３ａと、のぞき部３の接続は、固定金具で接続したものでもよい。
【００２０】
図２の、支持部３ａと、のぞき部３の接続は、自在金具で接続すると目視しやすい角度に調節できるため自在金具で接続たものでもよい。
【００２１】
図２の、支持部３ａは、回動出来るように支持部の回転軸３ｃを設ける。
【００２２】
図３の太陽高さ調節板５は、時間調整固定部４で時間合わせをするために、１２時５ｈから北海道地方午前１２時５ｌまでの時間角度調節用刻印があり、回転軸５ｍで回動できる、また、のぞき部３の角度を月日ごとに太陽の高さの角度を合わせるために、北緯３５度の太陽の南中高度が１２月２２日（３２°冬至）５ａから６月２２（７８°夏至）５ｇまでの刻印を設ける。
【００２３】
支持部の回転軸３ｃは、太陽高さ調節板５ｍの回転軸と同じ回転軸に取り付け、反射板の目印位置２ａの延長位置にある。
【００２４】
図４は、方位磁石と時間調節部で、本体の置く場所は、希望測定時間に合わせるために方位磁石７を設ける。方位磁石の周辺には、１４時７ａから１０時７ｅまでの刻印を設ける、前記刻印の内容は、方位磁石が南を指す位置の真南が午前１２時を示す１２時７ｃで、東西に１５度ごとにずれた位置は、太陽が１時間ずれた位置で１１時７ｄと１３時７ｂである、２時間のずれた位置に１０時７ｅと、１４時７ａがある。
【００２５】
測定時には、本体を水平に保つ必要が有り本体の表面に水準器６を設ける。
【００２６】
図５は、日影位置測定装置の実施方法を示した説明図で、のぞき部３を太陽高さ角度１１で合わせ、のぞき部３から、目視人物像１０のように覗いて、のぞき部の目印３ｂと、反射板２に映った障害物８の最上部分を反射板の目印２ａに一致させると、反射板の入射角と反射角は同じの原理で反射板の目印２ａ位置が太陽光線９の日影位置と一致する。
【００２７】
測定手順は、測定したい希望時間を、太陽高さ調節板５の刻印１２時５ｈから１０時／１４時５ｊを太陽高さ調節板の回転軸５ｍを支点として回動させて、時間調整固定部４と一致させる。
また、東北地方と北海道地方の午前１２時の場合は、東北地方午前１２時５ｋと北海道地方午前１２時５ｌに一致させる。
【００２８】
次に支持部３ａを、回転軸３ｃを支点として回動させ、太陽高さ調節板５の刻印５ａから５ｇの希望月日に一致させる。
【００２９】
次に方位磁石７の南側を指す針を１４時７ａから１０時７ｅで測定したい希望時間に合わせる、たとえば、午前１２時では本体は真南を向く、午前１１時と午後１時では１５度水平に回転させる。
【００３０】
次に目視により、のぞき部３から覗きながら、障害物８の最上部と反射板の目印２ａと、のぞき部の目印３ｂの３点が一致するように本体を移動させる、一致したらその状態を保ちつつ、水準器６を見ながら本体を水平に置くと、反射板の目印２ａの位置が日影位置となる。
【符号の説明】
【００３１】
１    日影位置測定装置の本体
２    反射板
２ａ  反射板の目印
３    のぞき部
３ａ  支持部
３ｂ  のぞき部の目印
３ｃ  支持部の回転軸
４    時間調整固定部
５    太陽高さ調節板
５ａ  １２月２２日（３２°冬至）
５ｂ  １月２２／１１月２２（４０°）
５ｃ  ２月２２／１０月２２（４７°）
５ｄ  ３月９月２３（５５°春／秋分）
５ｅ  ４月２２／８月２３（６３°）
５ｆ  ５月２２／７月２３（７０°）
５ｇ  ６月２２（７８°夏至）
５ｈ  １２時
５ｉ  １１時／１３時
５ｊ  １０時／１４時
５ｋ  東北地方午前１２時
５ｌ  北海道地方午前１２時
５ｍ  太陽高さ調節板の回転軸
６    水準器
７    方位磁石
７ａ  １４時
７ｂ  １３時
７ｃ  １２時
７ｄ  １１時
７ｅ  １０時
８    障害物
９    太陽光線
１０  目視人物像
１１  太陽高さ角度
【図１】
2011080827.tif 000003
【図２】
2011080827.tif 000004
【図３】
2011080827.tif 000005
【図４】
2011080827.tif 000006
【図５】
2011080827.tif 000007